(57)【特許請求の範囲】
【請求項１】
紙幣が排出される出金口と、
紙幣が正常であるか否かを認識する紙幣認識部と、
紙幣の収納および繰り出しが可能な紙幣収納庫と、
紙幣を搬送する搬送路と、
紙幣の搬送中にリジェクト紙幣が発生した際、紙幣の搬送動作を中止し、障害発生の通知を行った後、リセット処理により前記搬送路に残留している紙幣を前記出金口に搬送するよう制御する制御部と、
を備える、現金処理装置。
【請求項２】
前記制御部は、前記紙幣収納庫に紙幣を搬送する入金処理中に前記リジェクト紙幣が発生した際、前記リセット処理により前記搬送路に残留している全ての紙幣を前記出金口に搬送するよう制御する、請求項１に記載の現金処理装置。
【請求項３】
前記制御部は、前記紙幣収納庫から紙幣を繰り出して前記出金口に搬送する出金処理中に前記リジェクト紙幣が発生した際、前記リセット処理により前記出金口の集積紙幣の検知結果に応じて、前記搬送路に残留している紙幣の前記出金口への搬送制御を行う、請求項１または２に記載の現金処理装置。
【請求項４】
前記出金口は、第１の出金口と第２の出金口からなり、
前記制御部は、前記第１および第２のいずれの出金口にも集積紙幣が検知されなかった場合、前記第１の出金口に前記搬送路に残留している紙幣を搬送するよう制御する、請求項３に記載の現金処理装置。
【請求項５】
前記出金口は、第１の出金口と第２の出金口からなり、
前記制御部は、前記第１または第２のいずれか一方の出金口に集積紙幣が検知されなかった場合、集積紙幣が検知されなかった出金口に前記搬送路に残留している紙幣を搬送するよう制御する、請求項３に記載の現金処理装置。
【請求項６】
前記リジェクト紙幣の発生は、前記紙幣認識部による認識結果に基づくものである、請求項１〜５のいずれか１項に記載の現金処理装置。
【請求項７】
紙幣が排出される複数の出金口と、
紙幣が正常であるか否かを認識する紙幣認識部と、
紙幣の繰り出しが可能な紙幣収納庫と、
紙幣を搬送する搬送路と、
前記紙幣収納庫から繰り出した紙幣を前記出金口に搬送中にリジェクト紙幣が発生した際、一方の出金口に前記リジェクト紙幣を搬送し、他方の出金口に不足紙幣を搬送して出金取引を継続するよう制御する制御部と、
を備える、現金処理装置。
【請求項８】
前記制御部は、不足紙幣の搬送が終了した後、障害発生の通知を行う、請求項７に記載の現金処理装置。
【請求項９】
前記制御部は、前記一方の出金口に前記リジェクト紙幣を搬送する際、前記一方の出金口に既に出金取引による紙幣が集積されている場合、前記一方の出金口の集積紙幣が抜き取られてから前記リジェクト紙幣の搬送を行う、請求項７または８に記載の現金処理装置。
【請求項１０】
前記制御部は、前記他方の出金口に搬送された紙幣の枚数が上限値に達した場合、紙幣の搬送動作を中止し、前記他方の出金口の集積紙幣が抜き取られてから前記搬送動作を再開し、不足紙幣の搬送を継続する、請求項７〜９のいずれか１項に記載の現金処理装置。
【発明の詳細な説明】
【技術分野】
【０００１】
本発明は、現金処理装置に関する。
【背景技術】
【０００２】
昨今、金融機関の営業店カウンタに設置される窓口用現金処理機に代表される現金処理装置は、紙幣や硬貨の入金取引、出金取引、整理計数などに利用される。オペレータは、この現金処理装置の操作部または現金処理装置に接続された受付端末から各種操作を行うことにより、入金、出金などの取引を行うことができる。かかる現金処理装置に関する技術としては様々な技術が開示されている。
【０００３】
例えば、下記特許文献１では、紙幣収納部から紙幣認識部に紙幣を搬送する経路と重複しないリジェクトルートを確保することが可能な紙幣処理装置が提案されている。また、下記特許文献２では、銀行窓口における入出金取引において、金額不一致等のトラブルが発生した場合であっても、その取引について検証を行うことができる窓口用紙幣入出金機が提案されている。
【０００４】
ここで、紙幣の収納動作時または出金時に異常紙幣が発生した場合には、その異常紙幣は入金庫に搬送されるのが一般的である。また、紙幣の収納動作時において、リサイクル不可紙幣を搬送する場合や、搬送先のリサイクルカセットに既に収納されている紙幣の枚数が上限値に達している場合などには、入金庫に設定された紙幣カセットに紙幣が搬送されるのが一般的である。
【先行技術文献】
【特許文献】
【０００５】
【特許文献１】特開２０１３−１１７８９８号公報
【特許文献２】特開２００８−１３４８６３号公報
【発明の概要】
【発明が解決しようとする課題】
【０００６】
しかしながら、現金処理装置を扱うオペレータが、入金庫や入金庫に設定された紙幣カセットに収納された紙幣を回収するためには、現金処理装置の金庫扉を開けて現金処理装置の下部ユニットを引き出してから、入金庫や入金庫に設定された紙幣カセットを抜き取らなければならないのが一般的である。そのため、紙幣の回収のためにオペレータに煩雑な作業を強いる可能性がある。
【０００７】
また、例えば、金庫扉の鍵を銀行以外の会社が保持しているような国においては、銀行は、金庫扉を開けるための鍵を得るために、他の会社に依頼料を支払わなくてはならない場合もある。かかる場合には、現金処理装置を扱う銀行に、鍵を得るための依頼料が掛かってしまう。
【０００８】
そこで、本発明は、上記問題に鑑みてなされたものであり、本発明の目的とするところは、リジェクト紙幣が発生した際、出金口から残留紙幣を排出することで、紙幣回収のために金庫扉を開ける作業を不要とすることが可能な、新規かつ改良された現金処理装置を提供することにある。
【課題を解決するための手段】
【０００９】
上記課題を解決するために、紙幣が排出される出金口と、紙幣が正常であるか否かを認識する紙幣認識部と、紙幣の収納および繰り出しが可能な紙幣収納庫と、紙幣を搬送する搬送路と、紙幣の搬送中にリジェクト紙幣が発生した際、紙幣の搬送動作を中止し、障害発生の通知を行った後、リセット処理により前記搬送路に残留している紙幣を前記出金口に搬送するよう制御する制御部と、を備える現金処理装置が提供される。
【００１０】
また、前記制御部は、前記紙幣収納庫に紙幣を搬送する入金処理中に前記リジェクト紙幣が発生した際、前記リセット処理により前記搬送路に残留している全ての紙幣を前記出金口に搬送するよう制御してもよい。
【００１１】
また、前記制御部は、前記紙幣収納庫から紙幣を繰り出して前記出金口に搬送する出金処理中に前記リジェクト紙幣が発生した際、前記リセット処理により前記出金口の集積紙幣の検知結果に応じて、前記搬送路に残留している紙幣の前記出金口への搬送制御を行ってもよい。
【００１２】
また、前記出金口は、第１の出金口と第２の出金口からなり、前記制御部は、前記第１および第２のいずれの出金口にも集積紙幣が検知されなかった場合、前記第１の出金口に前記搬送路に残留している紙幣を搬送するよう制御してもよい。
【００１３】
また、前記出金口は、第１の出金口と第２の出金口からなり、前記制御部は、前記第１または第２のいずれか一方の出金口に集積紙幣が検知されなかった場合、集積紙幣が検知されなかった出金口に前記搬送路に残留している紙幣を搬送するよう制御してもよい。
【００１４】
また、前記リジェクト紙幣の発生は、前記紙幣認識部による認識結果に基づくものであってもよい。
【００１５】
また、上記課題を解決するために、本発明の別の観点によれば、紙幣が排出される複数の出金口と、紙幣が正常であるか否かを認識する紙幣認識部と、紙幣の繰り出しが可能な紙幣収納庫と、紙幣を搬送する搬送路と、前記紙幣収納庫から繰り出した紙幣を前記出金口に搬送中にリジェクト紙幣が発生した際、一方の出金口に前記リジェクト紙幣を搬送し、他方の出金口に不足紙幣を搬送して出金取引を継続するよう制御する制御部と、を備える現金処理装置が提供される。
【００１６】
また、前記制御部は、不足紙幣の搬送が終了した後、障害発生の通知を行ってもよい。
【００１７】
また、前記制御部は、前記一方の出金口に前記リジェクト紙幣を搬送する際、前記一方の出金口に既に出金取引による紙幣が集積されている場合、前記一方の出金口の集積紙幣が抜き取られてから前記リジェクト紙幣の搬送を行ってもよい。
【００１８】
また、前記制御部は、前記他方の出金口に搬送された紙幣の枚数が上限値に達した場合、紙幣の搬送動作を中止し、前記他方の出金口の集積紙幣が抜き取られてから前記搬送動作を再開し、不足紙幣の搬送を継続してもよい。
【発明の効果】
【００１９】
以上説明したように本発明によれば、リジェクト紙幣が発生した際、出金口から残留紙幣を排出することで、紙幣回収のために金庫扉を開ける作業を不要とすることが可能である。
【図面の簡単な説明】
【００２０】
【図１】一般的な現金処理装置の要部構成図である。
【図２】一般的な現金処理装置の収納動作時における動作の流れの例を示すフローチャートである。
【図３】一般的な現金処理装置の出金時における動作の流れの例を示すフローチャートである。
【図４】一般的な現金処理装置のカセット回収時におけるオペレータの作業の流れの例を示すフローチャートである。
【図５】本発明の実施形態に係る現金処理装置の要部構成図である。
【図６】本発明の実施形態に係る現金処理装置の機能構成例を示すブロック図である。
【図７】本発明の第１の実施形態に係る現金処理装置の収納動作時における動作の流れの例を示すフローチャートである。
【図８】本発明の第１の実施形態に係る現金処理装置のリセット動作時における動作の流れの例を示すフローチャートである。
【図９】本発明の第２の実施形態に係る現金処理装置の出金時における動作の流れの例を示すフローチャートである。
【図１０】本発明の第２の実施形態に係る現金処理装置のリセット動作時における動作の流れの例を示すフローチャートである。
【図１１】本発明の第２の実施形態に係る現金処理装置のリセット動作時における他の動作の流れの例を示すフローチャートである。
【図１２】本発明の第３の実施形態に係る現金処理装置の出金時における動作の流れの例を示すフローチャートである。
【図１３】本発明の第３の実施形態に係る現金処理装置の出金時における動作の流れの例を示すフローチャートである。
【図１４】本発明の第３の実施形態に係る現金処理装置のリセット動作時における動作の流れの例を示すフローチャートである。
【発明を実施するための形態】
【００２１】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２２】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２３】
本発明は、以下本明細書において詳細に説明するような多様な形態で実施され得る。また、各実施形態による現金処理装置（１０）は、
Ａ．紙幣が排出される出金口（１０２）と、
紙幣が正常であるか否かを認識する紙幣認識部（１０４）と、
Ｂ．紙幣の収納および繰り出しが可能な紙幣収納庫（１０６〜１１０）と、
Ｃ．紙幣を搬送する搬送路（１０３）と、
Ｄ．紙幣の搬送中にリジェクト紙幣が発生した際、紙幣の搬送動作を中止し、障害発生の通知を行った後、リセット処理により前記搬送路に残留している紙幣を前記出金口に搬送するよう制御する制御部（ＣＰＵ４０）と、
を有する。
【００２４】
（本発明の背景）
まず、一般的な現金処理装置９０の構成について図１を参照して説明する。図１は、一般的な現金処理装置９０の要部構成図である。例えば、現金処理装置９０は、金融機関の受付窓口員などのオペレータによる操作に基づいて金銭の取引を実行する操作型端末であってよい。また、例えば、この現金処理装置９０は、金融機関の営業店などに設置される。以下では、現金処理装置９０が窓口用現金入出金機（ＴＣＲ：Ｔｅｌｌｅｒ  Ｃａｓｈ  Ｒｅｃｙｃｌｅｒ）である場合を主に想定する。
【００２５】
図１に示すように、現金処理装置９０は、入金口１０１、出金口１０２（第１の出金口１０２−１、第２の出金口１０２−２）、搬送路１０３、認識部１０４、一時保留部１０５、紙幣カセット１０６〜１１０、入金庫（リジェクト庫）１１１およびブレード１１２、１１３を有する。なお、以下においては、説明の簡便さのため、スロットＡ〜Ｅに装着される紙幣カセット１０６〜１１０を紙幣カセットＡ〜Ｅと記載し、スロットＦに装着される入金庫１１１を入金庫Ｆと記載する場合もある。
【００２６】
入金口１０１は、オペレータによって紙幣が投入される投入口である。入金口１０１には、開口部を開閉するシャッタ（不図示）が設けられてよい。また、入金口１０１は、束で投入された紙幣を一枚ずつ分離して搬送路１０３に繰り出す分離機能を有していてよい。なお、入金口１０１は、搬送路１０３側に傾くことや、オペレータによる取り出し口側に傾くことが可能な可動式であってもよい。
【００２７】
出金口１０２は、オペレータが受け取る紙幣が排出される排出口である。出金口１０２には、開口部を開閉するシャッタ（不図示）が設けられてよい。また、出金口１０２は、排出する紙幣を集積する集積機能を有していてよい。なお、出金口１０２は、搬送路１０３側に傾くことや、オペレータによる取り出し口側に傾くことが可能な可動式であってもよい。図１に示すように、出金口１０２としては、第１の出金口１０２−１および第２の出金口１０２−２が存在してよい。現金処理装置９０における第１の出金口１０２−１および第２の出金口１０２−２それぞれの位置は特に限定されない。
【００２８】
搬送路１０３は、紙幣を搬送する機能を有している。紙幣の搬送には、対向して当接する複数のローラの間に紙幣を挟んで送出する機構が用いられてよい。搬送路１０３は、駆動モータ（不図示）によって駆動され得る。駆動モータ（不図示）は、例えば、ＤＣサーボモータまたはパルスモータによって構成されており、かかるモータが回転することにより搬送路１０３を駆動する。
【００２９】
駆動モータ（不図示）は、現金処理装置９０の全体の動作を制御する制御部（不図示）の制御に従って、搬送路１０３が紙幣を目的の搬送先に搬送するように搬送路１０３を駆動する。搬送路１０３は、複数の搬送区間に分割され、複数の搬送区間がそれぞれの駆動モータによって駆動されてもよい。ブレード１１２、１１３は、搬送路１０３の分岐部分に配置されており、制御部（不図示）の制御に従って紙幣の搬送方向を制御する。例えば、ブレード１１２、１１３は、ロータリー式ソレノイドを直結させて回転する手法を用いて紙幣の搬送方向を制御してもよい。
【００３０】
認識部１０４は、１枚ずつ搬送される紙幣の認識を行う。認識部１０４は、双方向（方向Ｄ１および方向Ｄ２）に搬送される紙幣の認識を行うことができる。具体的には、認識部１０４は、搬送路１０３によって搬送された紙幣の金種、真偽、正損および走行状態などを鑑別し、搬送される紙幣に対して、正常判定または異常判定を行う。異常判定（リジェクト判定）は、真偽、正損（汚損、損壊、外形異常など）、走行異常（スキュー紙幣、重走など）といった要因に基づいて行われる。また、異常紙幣（以下、「リジェクト紙幣」とも言う。）は、出金紙幣として取り扱えない二千円札および五千円札を含んでもよいし、外国紙幣を含んでもよい。
【００３１】
一時保留部１０５は、紙幣の分離と収納の両方の機能を有する。例えば、一時保留部１０５は、入金時に入金口１０１から分離されて認識部１０４により正常と認識された紙幣を一時的に収納する。一時保留部１０５に収納された紙幣は、取引が成立した場合（例えば、入金した紙幣の口座計上が確定した場合）などに繰り出され、認識部１０４に搬送される。認識部１０４を経て紙幣カセットＡ〜Ｄなどに搬送される。なお、一時保留部１０５の収納形式は、紙幣を順次重ねて集積する集積式であってもよいし、紙幣を順次巻いて収納するドラム式であってもよい。
【００３２】
紙幣カセットＡ〜Ｄは、紙幣を金種毎に収納可能であり、紙幣の収納および分離の両方の機能を有する。紙幣カセットＡ〜Ｄには、同一金種の紙幣を収納する紙幣カセットが存在してもよい。例えば、紙幣カセットＡ、Ｃが一万円札を収納可能であり、紙幣カセットＢ、Ｄが千円札を収納可能であってもよい。また、紙幣カセットＡ〜Ｄは、現金処理装置９０に対して着脱可能な構造になっていてよい。
【００３３】
紙幣カセットＥは、紙幣を収納する収納機能および１枚ずつ繰り出す分離機能を有する。例えば、紙幣カセットＥは、回収時に各紙幣カセットＡ〜Ｄから分離された紙幣を収納することができる。また、紙幣カセットＥは、補充時に収納している紙幣を繰り出し、紙幣カセットＡ〜Ｄに紙幣を補充することができる。このように、紙幣カセットＥは、複数の用途に利用され得る。また、紙幣カセットＥは、現金処理装置９０に対して着脱可能な構造になっていてよい。
【００３４】
入金庫Ｆは、紙幣を収納する収納機能を有する。例えば、入金庫Ｆは、認識部１０４によって異常であると認識された紙幣（リジェクト紙幣）を収納する機能を有している。また、入金庫Ｆは、リジェクト紙幣の他に、正常紙幣、外国紙幣、偽造券などといった、他の紙幣と様々な区別をされた紙幣を収納することが可能な多目的な紙幣カセット（入金庫）であってよい。また、入金庫Ｆは、現金処理装置９０に対して着脱可能な構造になっていてよい。
【００３５】
以上、図１を参照しながら、一般的な現金処理装置９０の基本的な機能について説明した。続いて、図２〜図４を適宜参照しながら、一般的な現金処理装置９０における取引ごとの紙幣の流れについて説明する。取引には、入金、収納、出金、補充、回収などが含まれ得る。
【００３６】
まず、一般的な現金処理装置９０の入金時における紙幣の流れを説明する。入金時においては、オペレータによって入金口１０１に投入された紙幣が１枚ずつ方向Ｄ１に沿って搬送路１０３によって認識部１０４に搬送される。認識部１０４によってリジェクト紙幣であると認識された紙幣は、方向Ｄ１に沿って出金口１０２に搬送される。出金口１０２に搬送された紙幣は、入金口１０１に再度投入されることによって、認識部１０４によって再度認識され得る。
【００３７】
一方、認識部１０４によって正常であると認識された紙幣は、方向Ｄ１に沿って一時保留部１０５に搬送され、一時保留部１０５によって一時的に収納される。入金動作が終わると、現金処理装置９０を制御する上位システム（不図示）によって入金金額が表示される。入金金額をオペレータが確認すると、上位システム（不図示）の収納開始指示に従って、現金処理装置９０の動作が入金動作から収納動作に移行される。
【００３８】
図２は、一般的な現金処理装置９０の収納動作時における動作の流れの例を示すフローチャートである。図２に示すように、収納動作時においては、一時保留部１０５に収納された紙幣が１枚ずつ方向Ｄ１に沿って搬送路１０３によって認識部１０４に搬送される。認識部１０４による認識結果がリジェクト紙幣である旨を示す場合は（ステップＳ１０１において「Ｙｅｓ」）、当該紙幣は方向Ｄ１に沿って搬送路１０３によって入金庫Ｆに搬送される（ステップＳ１０２）。
【００３９】
一方、認識部１０４による認識結果が正常である旨を示す場合は（ステップＳ１０１において「Ｎｏ」）、当該紙幣は方向Ｄ１に沿って搬送路１０３によって紙幣カセットＡ〜Ｅのうち当該紙幣の金種と一致する金種が設定された紙幣カセットに搬送される（ステップＳ１０３）。
【００４０】
なお、入金完了後に、上位システム（不図示）の返却（キャンセル）指示に従って、現金処理装置９０の動作が入金動作から返却動作に移行されてもよい。かかる場合、一時保留部１０５に収納された紙幣は、１枚ずつ方向Ｄ１に沿って搬送路１０３によって認識部１０４に搬送され、認識部１０４による認識結果に関わらず方向Ｄ１に沿って搬送路１０３によって出金口１０２に搬送されてよい。
【００４１】
続いて、一般的な現金処理装置９０の出金時における紙幣の流れを説明する。図３は、一般的な現金処理装置９０の出金時における動作の流れの例を示すフローチャートである。図３に示すように、出金時においては、紙幣カセットＡ〜Ｅのうち指定金種が設定された紙幣カセットから指定枚数の紙幣が１枚ずつ分離されて方向Ｄ２に沿って搬送路１０３によって認識部１０４に搬送される。認識部１０４による認識結果がリジェクト紙幣である旨を示す場合は（ステップＳ２０１において「Ｙｅｓ」）、当該紙幣は方向Ｄ２に沿って搬送路１０３によって入金庫Ｆに搬送される（ステップＳ２０２）。
【００４２】
一方、認識部１０４による認識結果が正常である旨を示す場合は（ステップＳ２０１において「Ｎｏ」）、当該紙幣は方向Ｄ２に沿って搬送路１０３によって出金口１０２に搬送される（ステップＳ２０３）。
【００４３】
続いて、一般的な現金処理装置９０の補充時における紙幣の流れを説明する。紙幣補充の手法としては、投入口補充、カセット交換補充およびカセット計数補充などが挙げられる。ここで、投入口補充の動作は、上記した入金動作および収納動作と同様になされ得る。また、カセット交換補充は、あらかじめ紙幣が収納された紙幣カセットを現金処理装置９０にセットする手法であるが、かかる手法においては、認識部１０４により紙幣の計数処理が実行されないため、オペレータは、紙幣の金種および枚数をマニュアルで登録する必要がある。
【００４４】
カセット計数補充においては、紙幣カセットＥから１枚ずつ分離された紙幣が方向Ｄ２に沿って搬送路１０３によって認識部１０４に搬送される。認識部１０４による認識結果がリジェクト紙幣である旨を示す場合は、当該紙幣は、方向Ｄ２に沿って入金庫Ｆに搬送される。一方、認識部１０４による認識結果が正常である旨を示す場合は、当該紙幣は、方向Ｄ２に沿って搬送路１０３によって一時保留部１０５に搬送される。
【００４５】
続いて、正常であると認識された紙幣は、一時保留部１０５から繰り出されて、方向Ｄ１に沿って搬送路１０３によって認識部１０４に搬送される。認識部１０４による認識結果がリジェクト紙幣である旨を示す場合は、当該紙幣は、方向Ｄ１に沿って入金庫Ｆに搬送される。一方、認識部１０４によって正常であると認識された紙幣は、方向Ｄ１に沿って搬送路１０３によって紙幣カセットＡ〜Ｅのうち当該紙幣の金種と一致する金種が設定された紙幣カセットに搬送される。
【００４６】
続いて、一般的な現金処理装置９０の回収時における紙幣の流れを説明する。紙幣回収の手法としては、出金口回収、カセット交換回収およびカセット計数回収などが挙げられる。ここで、出金口回収の動作は、上記した出金動作と同様になされ得る。また、カセット交換回収は、現金処理装置９０から紙幣カセットを取り外して紙幣の回収を行う手法であるが、かかる手法においては、認識部１０４により紙幣の計数処理が実行されないため、オペレータは、取り外した紙幣カセットから紙幣を抜き取って紙幣の金種および枚数をマニュアルで数えるのが一般的な運用である。
【００４７】
カセット計数回収においては、紙幣カセットＡ〜Ｄから１枚ずつ分離された紙幣が方向Ｄ２に沿って搬送路１０３によって認識部１０４に搬送される。認識部１０４によって異常であると認識されたリジェクト紙幣は、方向Ｄ２に沿って入金庫Ｆに搬送される。一方、認識部１０４によって正常であると認識された紙幣は、方向Ｄ２に沿って紙幣カセットＥに搬送される。紙幣の計数が完了した後、オペレータは、紙幣カセットＥを現金処理装置９０から取り外して紙幣の回収を行うことができる。
【００４８】
図４は、一般的な現金処理装置９０のカセット回収時におけるオペレータの作業の流れの例を示すフローチャートである。図４に示すように、紙幣カセットの回収がなされるに際しては、オペレータは、鍵を用いて金庫扉１１５を開ける（ステップＳ３０１）。続いて、オペレータは、現金処理装置９０から下部ユニット１１４を取り外して（ステップＳ３０２）、現金処理装置９０から紙幣カセットを取り外す。オペレータは、取り外した紙幣カセットから紙幣を抜き取り（ステップＳ３０３）、下部ユニット１１４を現金処理装置９０に取り付け（ステップＳ３０４）、金庫扉を閉める（ステップＳ３０５）。
【００４９】
以上、図２〜図４を適宜参照しながら、一般的な現金処理装置９０における取引ごとの紙幣の流れについて説明した。ここで、上記したように、各取引時（例えば、収納動作時、出金時、補充時および回収時など）においては、紙幣の搬送中において認識部１０４によって異常であると認識されたリジェクト紙幣は、入金庫Ｆに搬送されてしまうのが一般的である。
【００５０】
また、紙幣の分離機能（紙幣を繰り出す機能）を有する出金庫、紙幣の集積する機能を有する出金庫の他に、紙幣の分離機能と紙幣の集積機能との双方を有する紙幣カセット（以下、「リサイクルカセット」とも言う。）が存在し得る。例えば、紙幣カセットＡ〜Ｄがリサイクルカセットとなり得る。ここで、紙幣の収納動作時において、搬送先のリサイクルカセットに収納された紙幣の枚数が上限値に達している場合、入金庫に設定された紙幣カセットに紙幣が搬送されるのが一般的である。
【００５１】
なお、リサイクルカセットに対して補充する紙幣を繰り出し、リサイクルカセットから回収する紙幣を収納する紙幣カセット（装填回収庫）も存在し得る。例えば、紙幣カセットＥが装填回収庫となり得る。
【００５２】
また、紙幣カセットに収納された後に出金対象とはされない紙幣（以下、「リサイクル不可紙幣」）が存在し得る。例えば、紙幣カセットＡ〜Ｅの中に一致する金種が設定された紙幣カセットが存在しない金種の紙幣は、リサイクル不可紙幣として扱われ得る。リサイクル不可紙幣も、収納動作時において、入金庫に設定された紙幣カセットに紙幣が搬送されるのが一般的である。
【００５３】
しかし、現金処理装置９０を扱うオペレータが、入金庫Ｆや入金庫に設定された紙幣カセットに収納された紙幣を回収するためには、現金処理装置９０の金庫扉１１５を開けて現金処理装置９０の下部ユニット１１４を引き出してから、入金庫Ｆや入金庫に設定された紙幣カセットを抜き取らなければならないのが一般的である。そのため、紙幣の回収のためにオペレータに煩雑な作業を強いる可能性がある。
【００５４】
また、例えば、金庫扉１１５の鍵を銀行以外の会社が保持しているような国においては、銀行は、金庫扉１１５を開けるための鍵を得るために、他の会社に依頼料を支払わなくてはならない場合もある。かかる場合には、現金処理装置９０を扱うオペレータに煩雑な手続きを強いる可能性がある。また、かかる場合には、現金処理装置９０を扱う銀行には、鍵を得るための依頼料が掛かってしまう。
【００５５】
そこで、本明細書においては、リジェクト紙幣が発生した際、出金口から残留紙幣を排出することで、紙幣回収のために金庫扉を開ける作業を不要とすることが可能な技術を主に提案する。
【００５６】
＜１．本実施形態による現金処理装置の概要＞
続いて、本発明の実施形態に係る現金処理装置１０について詳細に説明する。なお、本発明の実施形態に係る現金処理装置１０の構成要素のうち、一般的な現金処理装置９０と同様の構成要素については、同一の符号を付して説明は省略する。
【００５７】
（１−１．現金処理装置の要部構成）
図５は、本発明の実施形態に係る現金処理装置１０の要部構成図である。上述した一般的な現金処理装置９０においては、入金庫Ｆが使用されるが、本発明の実施形態に係る現金処理装置１０においては、入金庫Ｆは使用されなくてよい。したがって、図５に示すように、本発明の実施形態に係る現金処理装置１０は、入金庫Ｆを有していなくてよい。ただし、入金庫Ｆが使用されなくてよいだけであるため、本発明の実施形態に係る現金処理装置１０は、入金庫Ｆを備えてもよいことは言うまでもない。
【００５８】
その他の構成については、図１を参照して説明した一般的な現金処理装置９０と同様である。
【００５９】
（１−２．現金処理装置の機能構成）
次に、本実施形態による現金処理装置１０の機能構成について図６を参照して説明する。図６は、本発明の実施形態に係る現金処理装置１０の機能構成例を示すブロック図である。図６に示すように、本発明の実施形態に係る現金処理装置１０は、制御部２１０と、検知部２２０と、記憶部２３０と、搬送部２４０とを備える。
【００６０】
制御部２１０は、現金処理装置１０の動作全般を制御する。具体的には、制御部２１０は、上述した入金処理、出金処理、補充処理、回収処理などの基本処理を制御する。例えば、制御部２１０は、搬送部２４０による紙幣の搬送と、シャッタ（不図示）の開閉動作とを制御する。
【００６１】
検知部２２０は、例えば、光学センサなどを有し、様々な状態を検知する。例えば、検知部２２０は、入金口１０１や、出金口１０２（第１の出金口１０２−１、第２の出金口１０２−２）の紙幣の集積状態（集積枚数や、紙幣が抜き取られたか否か）を検知する。また、検知部２２０は、紙幣の搬送状態を検知し得る。検知部によって検知された結果は、制御部２１０に出力される。
【００６２】
記憶部２３０は、現金処理装置１０が動作するためのプログラムや各種データなどを記憶する。また、記憶部２３０は、認識部１０４の鑑別結果を記憶し得る。搬送部２４０は、搬送路１０３によって構成され、制御部２１０の制御に従って紙幣を搬送する機能を有する。なお、制御部２１０および記憶部２３０の機能は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などから成るハードウェア構成により実現してもよい。
【００６３】
ＣＰＵは、演算機能および制御機能を有し、各種プログラムに従って現金処理装置１０の動作全般を制御する。ＲＯＭは、ＣＰＵが使用するプログラムや演算パラメータなどを記憶する。ＲＡＭは、ＣＰＵの実行において使用するプログラムや、その実行において適宜変化するパラメータなどを一時記憶する。
【００６４】
本発明の実施形態において、制御部２１０は、搬送中の紙幣が認識部１０４によってリジェクト紙幣であると認識された場合、搬送路１０３の動作を停止して障害発生を通知した後、オペレータからの指示に従ってリセット処理を実行する。リセット処理では、搬送路１０３に残留する紙幣が出金口１０２に搬送されるように搬送路１０３を制御する。かかる構成によれば、搬送中の紙幣がリジェクト紙幣である場合には、当該紙幣が入金庫Ｆや入金庫に設定された紙幣カセットに収納されなくなる。したがって、現金処理装置１０の金庫扉１１５を開けて現金処理装置１０の下部ユニット１１４を引き出してから、入金庫Ｆや入金庫に設定された紙幣カセットを抜き取る作業が不要となる。そのため、紙幣の回収のためにオペレータに煩雑な作業を強いる可能性が低減される。
【００６５】
また、例えば、金庫扉の鍵を銀行以外の会社が保持しているような国においても、銀行は、金庫扉を開けるための鍵が不要となるため、他の会社に依頼料を支払わなくて済むようになる。したがって、紙幣回収のために金庫扉を開ける作業を不要とすることができる。
【００６６】
また、リジェクト紙幣が発生した際に、搬送路１０３に残留する紙幣を出金口１０２に搬送してから障害発生を通知すると、オペレータには現金処理装置１０が正常に動作していたにも関わらず障害が発生するといった不可解な状況に見受けられる。そこで本実施形態では、リジェクト紙幣が発生した時点で、まずは搬送路を停止し、障害発生を通知した後、オペレータによるリセット処理の指示を待ち、リセット処理において搬送路１０３に残留する紙幣を出金口１０２に搬送する。
【００６７】
以下、各実施形態において、現金処理装置１０が有する機能のバリエーションを詳細に説明する。
【００６８】
＜２．第１の実施形態＞
まず、本発明の第１の実施形態を説明する。本発明の第１の実施形態は、現金処理装置１０において入金が完了した後における紙幣の収納動作に関する。具体的には、入金が完了して紙幣が一時保留部１０５に収納されている状態において、収納動作が開始されると、一時保留部１０５から１枚ずつ紙幣が分離されて繰り出される。
【００６９】
このとき、制御部２１０は、一時保留部１０５から分離された紙幣が認識部１０４によってリジェクト紙幣であると認識された場合、搬送路１０３の動作を停止し、障害発生をオペレータに通知する。その後、リセット処理において、制御部２１０は、当該紙幣を出金口１０２に搬送させるよう制御する。また、制御部２１０は、一時保留部１０５から分離された紙幣が認識部１０４によってリジェクト紙幣であると認識された場合には、一時保留部１０５からの紙幣の分離を停止させる。これにより、一時保留部１０５から搬送路１０３に紙幣が繰り出されてしまうのを防ぐことができる。
【００７０】
なお、搬送路１０３の搬送方向は特に限定されない。例えば、制御部２１０は、収納動作が開始された際は、搬送方向が方向Ｄ１となるように搬送路１０３を制御し、リジェクト紙幣が認識された場合には、搬送方向が方向Ｄ２となるように搬送路１０３を制御する。
【００７１】
一方、制御部２１０は、一時保留部１０５から分離された紙幣が認識部１０４によって正常であると認識された場合、当該紙幣を紙幣カセットＡ〜Ｄに搬送させる。このとき、例えば、制御部２１０は、紙幣カセットＡ〜Ｄのうち、認識部１０４によって認識された紙幣の金種と同一の金種が設定されている紙幣カセットを、当該正常紙幣の搬送先として決定する。
【００７２】
紙幣の搬送先の出金口１０２は特に限定されない。例えば、紙幣の搬送先の出金口１０２は、第１の出金口１０２−１であってもよいし、第２の出金口１０２−２であってもよい。
【００７３】
また、認識部１０４によってリジェクト紙幣が認識された段階で、搬送路１０３には、そのリジェクト紙幣を含んだ複数の紙幣が残留していることが想定される。したがって、制御部２１０は、搬送中の紙幣が認識部１０４によってリジェクト紙幣であると認識された場合、リセット処理において、搬送路１０３に残留している複数の紙幣を出金口１０２に搬送させる。この例について、図７〜図８を参照して具体的に説明する。
【００７４】
（２−１．収納動作）
図７は、本発明の第１の実施形態に係る現金処理装置１０の収納動作時における動作の流れの例を示すフローチャートである。図７に示すように、収納動作時において、制御部２１０は、一時保留部１０５から分離された紙幣が認識部１０４によって認識され、認識結果が正常紙幣である旨を示す場合には（ステップＳ４０１において「Ｎｏ」）、搬送先の紙幣カセットに当該紙幣を搬送させる（ステップＳ４０２）。
【００７５】
一方、制御部２１０は、一時保留部１０５から分離された紙幣が認識部１０４によって認識され、認識結果がリジェクト紙幣である旨を示す場合には（ステップＳ４０１において「Ｙｅｓ」）、一時保留部１０５における紙幣の分離を停止させる（ステップＳ４０３）。
【００７６】
次いで、制御部２１０は、搬送路１０３を停止させる（ステップＳ４０４）。一時保留部１０５からの紙幣の分離が停止されているため、搬送路１０３を停止させることによって紙幣の破れを防止することができる。なお、制御部２１０は、搬送路１０３の全体を停止させてもよいし、搬送路１０３の一部を停止させてもよい。例えば、制御部２１０は、搬送路１０３の一部を停止させる場合には、一時保留部１０５と一時保留部１０５への枝分かれ部分に存在するブレード１１３との間の搬送路１０３を停止させてもよい。
【００７７】
そして、制御部２１０は、現金処理装置１０を障害状態にし（ステップＳ４０５）、収納動作を終了する。現金処理装置１０の障害状態は、オペレータ（具体的には例えばオペレータが操作するＰＣ）に対して障害通知を行った上で、オペレータが復帰の操作（具体的には、リセット指示）を行うまで、動作が停止されている状態となる。
【００７８】
（２−２．リセット動作）
次に、現金処理装置１０が障害発生により動作を停止した状態において、オペレータによるリセット指示を受けた場合に実行するリセット動作について、図８を参照して説明する。図８は、本発明の第１の実施形態に係る現金処理装置のリセット動作時における動作の流れの例を示すフローチャートである。
【００７９】
制御部２１０は、リセット指示を受けると、搬送路１０３を収納方向（方向Ｄ１）とは逆方向（方向Ｄ２）に移動させる（ステップＳ４２１）。
【００８０】
そして、制御部２１０は、搬送路１０３に残留している全ての紙幣を第１の出金口１０２−１に搬送させる（ステップＳ４２２）。
【００８１】
これにより、第１の出金口１０２−１に残留紙幣が集積され、オペレータは、金庫扉を開閉することなく出金口１０２からリジェクト紙幣を含む残留紙幣を回収することができる。
【００８２】
なお、搬送路１０３に残留している複数の紙幣の搬送先は、第１の出金口１０２−１に限定されない。例えば、制御部２１０は、搬送路１０３に残留している複数の紙幣を第１の出金口１０２−１に搬送させ、第１の出金口１０２−１に搬送された紙幣の枚数が上限値に達した場合、残りの紙幣を第２の出金口１０２−２に搬送させてもよい。かかる上限値は特に限定されないため、第１の出金口１０２−１のサイズに応じて適宜に設定される。
【００８３】
（２−３．効果）
以上説明したように、第１の実施形態によれば、紙幣収納動作時にリジェクト紙幣が発生した場合に、障害発生を通知し、リセット処理により残留紙幣を出金口１０２に排出することで、オペレータが金庫扉を開閉することなく運用を継続することが可能である。よって、金庫扉を開閉することで発生する依頼料が削減する。また、入金庫が不要な構成であるため、コストを削減することも可能である。
【００８４】
＜３．第２の実施形態＞
次に、本発明の第２の実施形態を説明する。本発明の第２の実施形態は、現金処理装置１０の出金動作に関する。具体的には、複数の紙幣が紙幣カセットＡに収納されている状態において、出金動作が開始されると、紙幣カセットＡから１枚ずつ紙幣が分離されて繰り出される。ここでは、紙幣カセットＡを用いて説明するが、紙幣カセットＡの代わりに紙幣カセットＢ〜Ｅが用いられてもよい。制御部２１０は、紙幣カセットＡから分離された紙幣が認識部１０４によってリジェクト紙幣であると認識された場合、当該紙幣を出金口１０２に搬送させる。
【００８５】
ここで、制御部２１０は、紙幣カセットＡから分離された紙幣が認識部１０４によってリジェクト紙幣であると認識された場合には、紙幣カセットＡからの紙幣の分離を停止させ、障害発生を通知する。これにより、紙幣カセットＡから搬送路１０３に紙幣が繰り出されてしまうのを防ぐことができる。
【００８６】
また、搬送路１０３の搬送方向は特に限定されない。例えば、制御部２１０は、出金動作が開始した際は、搬送方向が方向Ｄ２となるように搬送路１０３を制御し、リジェクト紙幣が認識された場合には、搬送方向が方向Ｄ２のままとなるように搬送路１０３を制御する。
【００８７】
一方、制御部２１０は、紙幣カセットＡから分離された紙幣が認識部１０４によって正常であると認識された場合、当該紙幣を出金口１０２に搬送させる。紙幣の搬送先の出金口１０２は特に限定されない。例えば、紙幣の搬送先の出金口１０２は、第１の出金口１０２−１であってもよいし、第２の出金口１０２−２であってもよい。
【００８８】
また、認識部１０４によってリジェクト紙幣が認識された段階で、搬送路１０３には、そのリジェクト紙幣を含んだ複数の紙幣が残留していることが想定される。したがって、制御部２１０は、搬送中の紙幣が認識部１０４によってリジェクト紙幣であると認識された場合、リセット処理において、搬送路１０３に残留している複数の紙幣を出金口１０２に搬送させる。この例について、図９〜図１１を参照しながら説明する。
【００８９】
（３−１．出金動作）
図９は、本発明の第２の実施形態に係る現金処理装置１０の出金時における動作の流れの例を示すフローチャートである。図９に示すように、出金時において、制御部２１０は、紙幣カセットＡから分離された紙幣が認識部１０４によって認識され、認識結果が正常紙幣である旨を示す場合には（ステップＳ５０１において「Ｎｏ」）、出金口１０２に当該紙幣を搬送させる（ステップＳ５０２）。
【００９０】
一方、制御部２１０は、紙幣カセットＡから分離された紙幣が認識部１０４によって認識され、認識結果がリジェクト紙幣である旨を示す場合には（ステップＳ５０１において「Ｙｅｓ」）、紙幣カセットＡにおける紙幣の分離を停止させる（ステップＳ５０３）。
【００９１】
次いで、制御部２１０は、搬送路１０３を停止させる（ステップＳ５０４）。紙幣カセットＡからの紙幣の分離が停止されているため、搬送路１０３を停止させることによって紙幣の破れを防止することができる。なお、制御部２１０は、搬送路１０３の全体を停止させてもよいし、搬送路１０３の一部を停止させてもよい。例えば、制御部２１０は、搬送路１０３の一部を停止させる場合には、紙幣カセットＡと紙幣カセットＡへの枝分かれ部分に存在するブレード１１２との間の搬送路１０３を停止させてもよい。
【００９２】
そして、制御部２１０は、現金処理装置１０を障害状態にし（ステップＳ５０５）、出金動作を終了する。現金処理装置１０の障害状態は、オペレータ（具体的には例えばオペレータが操作するＰＣ）に対して障害通知を行った上で、オペレータが復帰の操作（具体的には、リセット指示）を行うまで、動作が停止されている状態となる。
【００９３】
（３−２．リセット動作）
次に、現金処理装置１０が障害発生により動作を停止した状態において、オペレータによるリセット指示を受けた場合に実行するリセット動作について、図１０を参照して説明する。図１０は、本発明の第２の実施形態に係る現金処理装置のリセット動作時における動作の流れの例を示すフローチャートである。
【００９４】
制御部２１０は、まず、第１の出金口１０２−１、または第２の出金口１０２−２に集積紙幣があるか否かを判断する（ステップＳ５２１）。出金口１０２における集積紙幣の有無は、検知部２２０により検知される。
【００９５】
次いで、第１の出金口１０２−１または第２の出金口１０２−２の少なくともいずれかに集積紙幣がある場合（ステップＳ５２１において「Ｙｅｓ」）、制御部２１０は、出金口１０２からの全ての紙幣の抜き取りを検知部２２０により検知するまで待機する。
【００９６】
次に、制御部２１０は、第１の出金口１０２−１および第２の出金口１０２−２から全ての紙幣の抜き取りを検知した場合、若しくは、両方の出金口１０２に集積紙幣がなかった場合（ステップＳ５２１において「Ｎｏ」）、搬送路１０３を出金方向（方向Ｄ２）に移動させる（ステップＳ５２３）。
【００９７】
そして、制御部２１０は、搬送路１０３に残留している全ての紙幣を第１の出金口１０２−１に搬送させる（ステップＳ５２４）。
【００９８】
これにより、第１の出金口１０２−１に残留紙幣が集積され、オペレータは、金庫扉を開閉することなく出金口１０２からリジェクト紙幣を含む残留紙幣を回収することができる。
【００９９】
また、第１の出金口１０２−１および第２の出金口１０２−２に紙幣が集積されていないことを検知した上で、リセット動作により搬送路１０３の残留紙幣を排出することにより、正常に出金された紙幣と異常排出した紙幣とが混同されることを防止することができる。
【０１００】
なお、搬送路１０３に残留している複数の紙幣の搬送先は、第１の出金口１０２−１に限定されない。例えば、制御部２１０は、搬送路１０３に残留している複数の紙幣を第１の出金口１０２−１に搬送させ、第１の出金口１０２−１に搬送された紙幣の枚数が上限値に達した場合、残りの紙幣を第２の出金口１０２−２に搬送させてもよい。かかる上限値は特に限定されないため、第１の出金口１０２−１のサイズに応じて適宜に設定される。
【０１０１】
（３−３．他のリセット動作）
また、第２の実施形態によるリセット動作は図１０に示す例に限定されない。以下、図１１を参照して第２の実施形態による他のリセット動作について説明する。図１１は、本発明の第２の実施形態に係る現金処理装置のリセット動作時における他の動作の流れの例を示すフローチャートである。
【０１０２】
制御部２１０は、まず、第１の出金口１０２−１、および第２の出金口１０２−２に集積紙幣があるか否かを判断する（ステップＳ５４１）。出金口１０２における集積紙幣の有無は、検知部２２０により検知される。
【０１０３】
次いで、第１の出金口１０２−１および第２の出金口１０２−２の両方に集積紙幣がある場合（ステップＳ５４１において「Ｙｅｓ」）、制御部２１０は、一方の出金口１０２からの紙幣の抜き取りを検知部２２０により検知するまで待機する。
【０１０４】
次に、制御部２１０は、第１の出金口１０２−１または第２の出金口１０２−２からの全ての紙幣の抜き取りを検知した場合、若しくは、いずれか一方の出金口１０２に集積紙幣がなかった場合（ステップＳ５４１において「Ｎｏ」）、搬送路１０３を出金方向（方向Ｄ２）に移動させる（ステップＳ５４３）。
【０１０５】
そして、制御部２１０は、搬送路１０３に残留している全ての紙幣を、紙幣が集積されていない方の出金口１０２に搬送させる（ステップＳ５４４）。
【０１０６】
これにより、空いている方の出金口１０２に残留紙幣が集積され、オペレータは、金庫扉を開閉することなく出金口１０２からリジェクト紙幣を含む残留紙幣を回収することができる。
【０１０７】
また、上述したリセット動作の例と異なり、第１の出金口１０２−１および第２の出金口１０２−２の両方を空にする必要がないので、オペレータの手間が省ける。
【０１０８】
（３−４．効果）
以上説明したように、第２の実施形態によれば、紙幣出金動作時にリジェクト紙幣が発生した場合に、障害発生を通知し、リセット処理により残留紙幣を出金口１０２に排出することで、オペレータが金庫扉を開閉することなく運用を継続することが可能である。よって、金庫扉を開閉することで発生する依頼料が削減する。また、入金庫が不要な構成であるため、コストを削減することも可能である。
【０１０９】
＜４．第３の実施形態＞
続いて、本発明の第３の実施形態を説明する。本発明の第３の実施形態は、現金処理装置１０の出金動作に関する。出金動作の基本的な制御は、上述した第２の実施形態と同様である。
【０１１０】
ここで、本実施形態では、認識部１０４によってリジェクト紙幣であると認識された場合でも、出金取引を継続することを可能とする。具体的には、制御部２１０は、紙幣カセットＡから分離された紙幣が認識部１０４によってリジェクト紙幣であると認識された場合、紙幣カセットＡからの紙幣の分離を停止させ、搬送路の動作を停止した後、搬送路１０３に残留する全ての紙幣を第２の出金口１０２−２に搬送する。
【０１１１】
次いで、制御部２１０は、紙幣カセットＡからの紙幣の分離を再開し、出金取引における不足紙幣を第１の出金口１０２−１に搬送する。そして、制御部２１０は、不足紙幣の搬送終了後、障害発生を通知して停止する。これにより、リジェクト紙幣が発生した場合でも出金取引を継続することができる。この例について、図１２〜図１４を参照しながら説明する。ここで不足紙幣とは、出金取引で指定された指定枚数から、紙幣カセットＡからの紙幣の分離が停止される前までに出金口１０２−１に搬送された紙幣の枚数を引いた分の枚数をいう。つまり、例えば指定枚数が１００枚で、紙幣カセットＡからの紙幣の分離が停止される前までに出金口１０２−１に搬送された紙幣の枚数が８０枚の場合、不足紙幣は２０枚となる。この不足紙幣２０枚を出金口１０２−１に搬送する。
【０１１２】
（４−１．出金動作）
図１２、図１３は、本発明の第３の実施形態に係る現金処理装置１０の出金時における動作の流れの例を示すフローチャートである。図１２に示すように、出金時において、制御部２１０は、指定枚数を分離したか否かを判断し（ステップＳ６０１）、指定枚数を分離した場合は（ステップＳ６０１において「Ｙｅｓ」）、出金動作は終了する。
【０１１３】
一方、指定枚数を分離していない時に（ステップＳ６０１において「Ｎｏ」）、紙幣カセットＡから分離された紙幣が認識部１０４によって認識され、認識結果が正常紙幣である旨を示す場合には（ステップＳ６０２において「Ｎｏ」）、制御部２１０は、出金口１０２に当該紙幣を搬送させる（ステップＳ６０３〜Ｓ６０５）。搬送先の出金口は特に限定されないが、例えば第１の出金口がＦｕｌｌではない場合は（ステップＳ６０３において「Ｎｏ」）、第１の出金口１０２−１に搬送され（ステップＳ６０４）、第１の出金口がＦｕｌｌの場合は（ステップＳ６０３において「Ｙｅｓ」）、第２の出金口１０２−２に搬送される（Ｓ６０５）。
【０１１４】
一方、制御部２１０は、紙幣カセットＡから分離された紙幣が認識部１０４によって認識され、認識結果がリジェクト紙幣である旨を示す場合には（ステップＳ６０２において「Ｙｅｓ」）、紙幣カセットＡにおける紙幣の分離を停止させる（ステップＳ６０６）。
【０１１５】
次いで、制御部２１０は、搬送路１０３を停止させる（ステップＳ６０７）。
【０１１６】
次に、制御部２１０は、第２の出金口１０２−２に紙幣が集積されている場合（ステップＳ６０８において「Ｙｅｓ」）、第２の出金口１０２−２からの紙幣の抜き取りを検知するまで待機する。上記Ｓ６０３〜Ｓ６０５で示したように、第１の出金口１０２−１がＦｕｌｌの場合は、第２の出金口１０２−２に紙幣が出金されていることが想定されるので、第２の出金口１０２−２から出金紙幣が抜き取られたことを確認することで、出金紙幣が残留紙幣と混同してしまうことを防止する。
【０１１７】
続いて、第２の出金口１０２−２からの紙幣の抜き取りを検知した場合、若しくは第２の出金口１０２−２に紙幣が集積されていなかった場合（ステップＳ６０８において「Ｎｏ」）、制御部２１０は、搬送路１０３を出金方向（方向Ｄ２）に移動させる（ステップＳ６１０）。
【０１１８】
そして、制御部２１０は、搬送路１０３に残留している全ての紙幣を第２の出金口１０２−２に搬送させる（ステップＳ６１１）。
【０１１９】
次いで、制御部２１０は、第１の出金口１０２−１がＦｕｌｌか否かを判断する（図１３に示すステップＳ６１２）。上記Ｓ６０３〜Ｓ６０５で示したように、第１の出金口１０２−１には、出金紙幣が正常に集積されていることが想定される。
【０１２０】
第１の出金口１０２−１がＦｕｌｌの場合（ステップＳ６１２において「Ｙｅｓ」）、制御部２１０は、第１の出金口１０２−１からの紙幣の抜き取りを検知した後（Ｓ６１３）、紙幣カセットＡからの紙幣の分離を再開し、第１の出金口１０２−１に不足紙幣を搬送する（Ｓ６１４）。一方、第１の出金口１０２−１がＦｕｌｌではない場合（ステップＳ６１２において「Ｎｏ」）、制御部２１０は、第１の出金口１０２−１への出金紙幣の搬送を継続する。
【０１２１】
上記Ｓ６１２〜Ｓ６１４は、指定枚数を分離するまで繰り返される（Ｓ６１５）。
【０１２２】
そして、指定枚数の分離が終了すると（ステップＳ６１５において「Ｙｅｓ」）、制御部２１０は、現金処理装置１０を障害状態にし（ステップＳ６１６）、出金動作を終了する。現金処理装置１０の障害状態は、オペレータに対して障害通知を行った上で、オペレータが復帰の操作（具体的には、リセット指示）を行うまで、動作が停止されている状態となる。
【０１２３】
このように、第３の実施形態では、リジェクト紙幣が発生した際、リジェクト紙幣を含む残留紙幣が第２の出金口１０２−２に搬送され、続けて不足紙幣が第１の出金口１０２−１に集積されるので、オペレータは出金取引を継続することができる。また、リセット動作を出金取引が終了した後に行うことができる。
【０１２４】
（４−２．リセット動作）
図１４は、本発明の第３の実施形態に係る現金処理装置のリセット動作時における動作の流れの例を示すフローチャートである。
【０１２５】
制御部２１０は、リセット指示を受けると、出金口１０２に集積紙幣があるか否かを判断する（ステップＳ６２１）。
【０１２６】
出金口１０２に集積紙幣がある場合（ステップＳ６２１において「Ｙｅｓ」）、制御部２１０は、全ての出金口１０２からの全ての紙幣の抜き取りを検知すると（Ｓ６２２）、リセット動作を終了させる。
【０１２７】
（４−３．効果）
以上説明したように、第３の実施形態によれば、紙幣出金動作時にリジェクト紙幣が発生した場合でも、出金取引を継続することができる。また、残留紙幣と不足紙幣は、異なる出金口１０２に搬送されるので、オペレータは、これらを混同せずに回収することができる。
【０１２８】
また、リジェクト紙幣発生時に、オペレータが金庫扉を開閉することなく運用を継続することが可能である。よって、金庫扉を開閉することで発生する依頼料が削減する。また、入金庫が不要な構成であるため、コストを削減することも可能である。
【０１２９】
＜５．まとめ＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される
【０１３０】
例えば、現金処理装置１０の動作全体を制御するための制御部２１０は、専用のハードウェアによって構成されてもよいし、現金処理装置１０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【０１３１】
また、上述した実施形態は、本実施形態による現金処理装置１０を、職員操作型端末に適用して説明したが、本実施形態による現金処理装置１０は、これに限定されない。例えば、顧客操作型端末であって、紙幣を還流させる（リサイクルさせる）タイプのＡＴＭに代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【０１３２】
１０    現金処理装置
１０１  入金口
１０２  出金口
１０２−１  第１の出金口
１０２−２  第２の出金口
１０３  搬送路
１０４  認識部
１０５  一時保留部
１０６  紙幣カセット
１１１  入金庫
１１２  ブレード
１１３  ブレード
１１４  下部ユニット
１１５  金庫扉
２１０  制御部
２２０  検知部
２３０  記憶部
２４０  搬送部
【図１】
0006314685.tif 000002
【図２】
0006314685.tif 000003
【図３】
0006314685.tif 000004
【図４】
0006314685.tif 000005
【図５】
0006314685.tif 000006
【図６】
0006314685.tif 000007
【図７】
0006314685.tif 000008
【図８】
0006314685.tif 000009
【図９】
0006314685.tif 000010
【図１０】
0006314685.tif 000011
【図１１】
0006314685.tif 000012
【図１２】
0006314685.tif 000013
【図１３】
0006314685.tif 000014
【図１４】
0006314685.tif 000015